(57)【要約】【課題】請負業者（利用者）が自ら工事成績の高評価を達成するために工事前や工事途中において工事成績の現状点と達成目標点をシミュレーションできると共に、シミュレーションにおける関連コンサルティングサービスも行えるようにする。【解決手段】成績評価工事における各考査項目及び各細別に実施必要事項を入力する手段と、管理者サーバにおいてこの入力により各考査項目及び各細別における各考査官毎の現状点と達成目標点とを換算して保存する手段と、利用者端末において換算された各考査項目及び各細別における各考査官毎の現状点と達成目標点とを比較考察するための採点表を表示する手段と、マネージメント必要情報であるチェックポイントを工事成績評定シミュレーション中に表示する手段とを具備する。【選択図】図１
2011134287.tif 000002
【特許請求の範囲】
【請求項１】
少なくとも利用者端末において、成績評価対象項目における各考査項目及び各細別に履行状況を入力する手段と、管理者サーバにおいてこの入力により各考査項目及び各細別における各考査官毎の現状点と達成目標点とを演算して保存する手段と、利用者端末において演算された各考査項目及び各細別における各考査官毎の現状点と達成目標点とを比較考察するための採点表を表示する手段とを具備した工事成績評定シミュレーションシステム。
【請求項２】
利用者端末において、工事終了後に発注者から提供される評定点を入力する手段と、この入力された評定点を各考査項目及び各細別における各考査官毎の工事成績採点をレビュー画面に表示する手段とを具備する請求項１記載の工事成績評定シミュレーションシステム。
【請求項３】
コンサルタント端末において各考査項目及び各細別に対応してマネージメント必要情報であるチェックポイントを入力保存する手段と、このチェックポイントを新規に更新して保存する手段と、利用者端末において選択された各考査項目及び各細別における前記チェックポイントを工事成績評定シミュレーション中に表示する手段と具備する請求項１及び２のいずれかに記載の工事成績評定シミュレーションシステム。
【請求項４】
各考査項目における現状工事の実施事項記録をデータベースに蓄積する実施事項記録保存手段と、工事成績評定シミュレーション中に前記実施事項記録を確認する実施事項記録表示手段とを具備する請求項１乃至３のいずれかに記載の工事成績評定シミュレーションシステム。
【請求項５】
利用者端末において前記データベースに保存された実施事項記録が参考になったかどうかの評価を入力する手段と、この評価の高順位から低順位に実施事項記録を並び換えて表示する手段とを具備する請求項１乃至４のいずれかに記載の工事成績評定シミュレーションシステム。
【請求項６】
各考査項目及び各細別に対応する工事資料を管理サーバのデータベースに保存する手段と、利用者において前記データベースへリンクしてこの資料を利用者端末で閲覧表示する手段とを具備する請求項１乃至５のいずれかに記載の工事成績評定シミュレーションシステム。
【請求項７】
利用者端末において工事成績評定予測管理一覧を管理サーバのデータベースに記録する手段と、利用者端末において前記工事成績評定予測管理一覧の各工事における現状点及び達成目標点を表示する手段とを具備する請求項１乃至６のいずれかに記載の工事成績評定シミュレーションシステム。
【発明の詳細な説明】
【発明の詳細な説明】
【技術分野】
【０００１】  本発明は、請負業者（利用者）が自ら工事成績の高評価を達成するために工事前や工事途中において工事成績の現状点と達成目標点をシミュレーションできると共に、シミュレーションにおける関連コンサルティングサービスも行えるようにした工事成績評定シミュレーションシステムに関するものである。
【背景技術】
【０００２】  工事成績評定とは、公共機関が工事完成後に請負業者に対して、当該工事の評価をするもので、施工会社の適正な選定及び指導育成に資することを目的として実施されている。国より「公共工事の入札及び契約の適正化の促進に関する法律（平成１２年１１月２７日付け法律第１２７号）」（以下「適化法」という）が、平成１３年４月１日より施行されいる。その主な目的は、「公共工事の入札・契約の適正化の促進」「公共工事に対する国民の信頼の確保」「建設業の健全な発達」を図ることにある。この法律による公共工事においては、一括下請負が全面的に禁止となり、また、公共工事の発注者は工事現場の施工体制を適正なものとするため、点検その他の必要な措置を講じるように義務付けられている。【０００３】  これにともない、国土交通省でも各都道府県において新しく「請負工事成績評定要領」を制定し「適化法」への対応を行ってきている。また、平成１７年には、「公共工事の品質確保の促進に関する法律」が施行され、その施策として「総合評価落札方式」による入札が広く普及してきた。総合評価落札方式における評価項目の一つに、過去の工事成績評定があり、この工事成績評定の重みが、単なる表彰対象の選定から、次の仕事を受注するための重要な要素へと変化し注目を集めている。【０００４】  現場技術者の業務は、一般に「品質管理」「原価管理」「工程管理」「安全管理」「環境管理」と言われるが、この工事成績評定には「原価管理」以外の要素が含まれている事から、工事成績評定をベースとしたマネジメント体制が築ければ、技術力の高い建設会社によって、より良質な社会資本を整備できる事が期待される。
【背景技術】
【０００５】  先行特許文献１には、「複数の端末機器を通信回線により相互に接続して構築されるネットワークを介して、企業会員が、公的機関の発注に係る入札予報情報、落札結果情報、入札に参加する建設業許可業者の企業情報を検索・閲覧できる入落札情報提供システムにおいて、前記入落札情報に加えて、入札に参加する建設業許可業者を除く他の建設業許可業者の企業情報と、民間建設に係る建設着工情報や建設計画情報及び建設確認申請情報と、公的機関の発注に係る入落札、及び、建設業に関する新聞記事情報と、建設関連資料情報とが検索・閲覧できるように構成し、企業会員の必要とされる入落札情報を提供するようにした入落札情報提供システム」が記載されている。【０００６】  そして、段落「００１６」には「・・・図８のＮＯ・１〜ｎをクリックすることで、図９に示す落札結果情報詳細が表示されて、発注機関名、・・・工事成績評点が閲覧できる」旨説明されている。【０００７】  したがって、この先行特許文献１は「入落札情報提供システム」に関するものであって、請負業者（利用者）が自ら工事成績の高評価を達成するために工事前や工事途中において工事成績の現状点と達成目標点をシミュレーションできると共に、シミュレーションにおける関連コンサルティングサービスも行えるようにした工事成績評定シミュレーションシステムに関するものではない。【０００８】  また、先行特許文献２には「各評価項目に対する点数が固定点か流動点かの区別を、ユーザに入力させる手段と、自社の複数の流動点と自社の固定点と他社の複数の流動点と他社の固定点と他社の入札金額とに基づいて、自社の最高額を自社の流動点毎にかつ他社の流動点毎に算出する自社最高額算出手段と、自社の最高の流動点と他社の最高の流動点とに対する自社最高額と、自社の最低の流動点と他社の最高の流動点とに対する自社最高額とを、表示する自社最高額表示手段と、を有する入札シミュレーション装置及びプログラム」が記載されている。【０００９】  したがって、この先行特許文献２は「入札シミュレーション装置及びプログラム」に関するものであって、請負業者（利用者）が自ら工事成績の高評価を達成するために工事前や工事途中において工事成績の現状点と達成目標点をシミュレーションできると共に、シミュレーションにおける関連コンサルティングサービスも行えるようにした工事成績評定シミュレーションシステムに関するものではない。【００１０】  また、先行特許文献３には「ＤＢ１に記憶された入札に関する各種データを基に、分析部２が所定の分析を行い、当該分析の結果を適切な視覚情報として表示させるように分析結果を表示する画面を生成して表示させるようにした入札監視システム」が記載されている。【００１１】  そして、段落「００４０」には「・・・分析部２は、ある業者について、総合評価方式における工事成績と落札率とを参照し、平均落札率が所定のしきい値より低いにもかかわらず工事成績の平均点のしきい値より高い業者を抽出する。・・・」旨説明されている。【００１２】  したがって、この先行特許文献３は「入札監視システム」に関するものであって、請負業者（利用者）が自ら工事成績の高評価を達成するために工事前や工事途��において工事成績の現状点と達成目標点をシミュレーションできると共に、シミュレーションにおける関連コンサルティングサービスも行えるようにした工事成績評定シミュレーションシステムに関するものではない。【００１３】  さらに、市販の工事成績評定システムが多くあるが、すべてが官公庁向けのものであり、官公庁である発注者側が工事成績評定を行う目的の工事成績評定システムであって、請負業者（利用者）が自ら工事成績の高評価を達成するために工事前や工事途中において工事成績の現状点と達成目標点をシミュレーションできると共に、シミュレーションにおける関連コンサルティングサービスも行えるようにした工事成績評定シミュレーションシステムに関するものではない。【００１４】先行特許文献１    特開２００５−３４６５２９号
先行特許文献２    特開２００８−２５０４６１号
先行特許文献３    特開２００９−０３２１０３号
【発明が解決しようとする課題】
【００１５】  本発明は、請負業者（利用者）が自ら工事成績の高評価を達成するために、工事前や工事途中において、工事成績の現状点と達成目標点をシミュレーションできると共に、シミュレーション中において、マネージメント必要情報であるチェックポイントを表示する関連コンサルティングサービスが行えるとともに、実施事項記録・確認、工事資料（文書・図面・写真）、工事成績予測一覧表等の参考資料の保存・表示も行えるようにした工事成績評定シミュレーションシステムを提供するものである。
【課題を解決する手段】
【００１６】  請求項１の発明は、少なくとも利用者端末において、成績評価対象項目における各考査項目及び各細別に履行状況を入力する手段と、管理者サーバにおいてこの入力により各考査項目及び各細別における各考査官毎の現状点と達成目標点とを演算して保存する手段と、利用者端末において演算された各考査項目及び各細別における各考査官毎の現状点と達成目標点とを比較考察するための採点表を表示する手段とを具備した工事成績評定シミュレーションシステムを提供するものである。
【００１７】  この発明においては、請負業者（利用者）において工事成績評定をシミュレーションすることにより、工事成績評定を達成目標管理項目として利用することができ、より高い得点獲得に結び付くことが期待できると共に、次の工事入札の際に有利に競争が行える効果が期待できる。また請負業者の担当者にとって、実行予算管理だけでなく、その他の評価項目の管理も客観的に評価できるようになり、より納得性の高い人事考課を行うことが可能となる。さらに、自主的に評価項目の評価を行うことにより、発注者から自己評価と大きく異なる工事成績評定点が出されても、それに対し具体的な異議申し立てを行うことができる。
【００１８】  請求項２の発明は、利用者端末において、工事終了後に発注者から提供される評定点を入力する手段と、この入力された評定点を各考査項目及び各細別における各考査官毎の工事成績採点をレビュー画面に表示する手段とを具備する請求項１記載の工事成績評定シミュレーションシステムを提供するものである。
【００１９】  この発明においては、請負業者（利用者）において工事成績評定採点表をレビューすることにより、常に工事成績評定を達成目標管理項目として利用することができ、より高い得点獲得に結び付くことが期待できると共に、次の工事入札の際に有利に競争が行える効果が期待される。
【００２０】  請求項３の発明は、コンサルタント端末において各考査項目及び各細別に対応してマネージメント必要情報であるチェックポイントを入力保存する手段と、このチェックポイントを新規に更新して保存する手段と、利用者端末において選択された各考査項目及び各細別における前記チェックポイントを工事成績評定シミュレーション中に表示する手段と具備する請求項１及び２のいずれかに記載の工事成績評定シミュレーションシステムを提供するものである。
【００２１】  この発明においては、各考査項目に対応してマネージメント必要情報であるチェックポイントを工事成績評定シミュレーション中に表示することにより、これらチェックポイントを工事成績評定を達成目標管理に参照することができ、これにより高い得点獲得に確実に結び付くことが期待される。
【００２２】  請求項４の発明は、各考査項目における現状工事の実施事項記録をデータベースに蓄積する実施事項記録保存手段と、工事成績評定シミュレーション中に前記実施事項記録を確認する実施事項記録表示手段とを具備する請求項１乃至３のいずれかに記載の工事成績評定シミュレーションシステムを提供するものである。
【００２３】  この発明においては、全現場の達成目標点を共有することにより、達成意欲を向上されることが期待される。また、管理部門・経営層・他の現場からの各現場の実施状況が見えることにより、全体的な考察が行える環境が提供でき、ＰＤＣＡ（Ｐｌａｎ  Ｄｏ  Ｃｈｅｃｋ  Ａｃｔ）のマネージメントサイクルを確実に得られることが期待される。経営層では、将来の点数が予測でき、入札準備等の対応に生かすことができる。
【００２４】  請求項５の発明は、利用者端末において前記実施事項記録データベースに保存された実施事項記録が参考になったかどうかの評価を入力する手段と、この評価の高順位から低順位に実施事項記録を並び換えて表示する手段とを具備する請求項１乃至４のいずれかに記載の工事成績評定シミュレーションシステムを提供するものである。
【００２５】  この発明においては、発注者の評価は費用をかければ上げられるものもあるが、社内では費用対効果を考慮する必要がある。良い点数を取ることと、原価を下げるという相反する目的を実現するために、発注者の評価ばかりでなく社内評価を知る意義があるが、このような社内評価を知ることができる。
【００２６】  請求項６の発明は、各考査項目及び各細別に対応する工事資料を管理サーバのデータベースに保存する手段と、利用者において前記データベースへリンクしてこの資料を利用者端末で閲覧表示する手段とを具備する請求項１乃至５のいずれかに記載の工事成績評定シミュレーションシステムを提供するものである。
【００２７】  この発明においては、各考査項目毎の実施事項と、それに関連する文書・図面・写真等のドキュメントも合わせて管理できるので、過去の工事における技術の承継が図れるようになり、他社との差別化が期待できる。
【００２８】請求項７の発明は、利用者端末において工事成績評定予測管理一覧を管理サーバのデータベースに記録する手段と、利用者端末において前記工事成績評定予測管理一覧の各工事における現状点及び達成目標点を表示する手段とを具備する請求項１乃至６のいずれかに記載の工事成績評定シミュレーションシステムを提供するものである。
【００２９】  この発明においては、工事成績評定自己考査に関する工事成績評定予測管理一覧をデータベースに管理して、常時利用者端末において各工事の予測した現状点及び達成目標点を確認することができる。
【発明を実施するための形態】
【００３０】    以下に本発明の一実施形態を図面に基づき説明する。先ず、本願明細書において使用する工事成績評定に関する用語について説明する。
2011134287.tif 000003
【００３１】  さて、図１は、本発明の一実施例を示すＷｅｂシステム構成図である。管理サーバＡ１には、各考査項目及び各細別における各考査官毎の現状点と達成目標点（最大点・予想点）とを換算する演算装置Ｆが設けられている。そして、利用者端末Ｃにおいて、成績評価工事における各考査項目及び各細別に履行状況を入力すると、この入力により各考査項目及び各細別における各考査官毎の現状点と達成目標点（最大点・予想点）とを換算して工事成績評定点ＤＢ１に保存する。そして、利用者端末Ｃにおいて換算された各考査項目及び各細別における各考査官毎の現状点と達成目標点（最大点・予想点）とを比較考察するための後述する採点表に表示するようにして工事成績評定シミュレーションを行うようにしている。
【００３２】  また、管理サーバＡ１には、利用者端末Ｃにおいて、工事終了後に発注者から提供される評定点を入力されると、この入力された評定点を工事成績評定点ＤＢ１に保存し、後述する各考査項目及び各細別における各考査官毎の工事成績採点表に表示して工事成績採点をレビューできるようにしている。
【００３３】  また、管理サーバＡ１には、コンサルタント端末Ｂにおいて入力された各考査項目及び各細別に対応してマネージメント必要情報であるチェックポイントを保存し、このチェックポイントを新規に更新して保存するチェックポイントＤＢ２が設けられている。そして、利用者端末Ｃにおいて各考査項目及び各細別における前記チェックポイントを工事成績評定シミュレーション中に表示するようにしている。
【００３４】  また、管理サーバＡ１には、各考査項目における現状工事の実施事項記録を蓄積するデータベースＤＢ３を設けており、利用者端末において工事成績評定シミュレーション中に前記実施事項記録を確認できるようにしている。
【００３５】  また、管理サーバＡ１は、利用者端末において前記データベースに保存された実施事項記録が参考になったかどうかの評価を入力すると、この評価の高順位から低順位に実施事項記録を並び換える。
【００３６】  サーバＡ２には、各考査項目及び各細別において関係する工事資料を保存する文書データベースＤＢ４，図面データベースＤＢ５，写真データベースＤＢ６が設けられており、利用者において前記各データベースＤＢ４〜６へリンクしてこの資料を利用者端末に閲覧表示できるようにしている。
【００３７】  さらに、利用者端末において工事成績評定予測管理一覧を管理サーバの工事成績評定点ＤＢ１に記録するようにし、利用者端末において前記工事成績評定予測管理一覧の各工事の現状点及び達成目標点を表示するようにしている。
【００３８】  次に、上記図１のＷｅｂシステム構成図に示した工事成績評定シミュレーション機能の具体的操作について説明する。図２は工事成績評定シミュレーション機能フローチャートであり、先ず、図４に示す工事成績評定シミュレーション画面０１を表示する。考査官リストボックス０２より、主任技術評価官、総括技術評価官、技術検査官の何れかを選択する。考査項目リストボックス０３より、考査項目を選択する。細別リストボックス０４より、細別を選択する。この３つの選択により、評価対象項目の一覧０５が表示される。考査官、考査項目、細別と評価対象項目一覧の関係は図３に示す通りである。
【００３９】  評価対象項目毎に、履行状況を、履行状況リストボックス０６より選択する。この時に、履行状況が、履行中の場合は、履行中状況が確実か、不確実かを履行中状況リストボックス０７より選択する。この作業は評価対象項目毎に行う。この作業を行った結果を最大点・予想点・現状点０８として演算して表示する。最大点・予想点・現状点の計算ロジックは用語解説に示す通りとする。この作業を、細別数分、考査項目数分、考査官種類分繰り返して行い、結果確認ボタン０９をクリックすると、図５の採点表１０を表示するす。
【００４０】  図６は、工事成績評定レビュー機能フローチャートであり、先ず、図７の工事成績レビュー画面１１を表示する。評定点入力ボックス１２に発注者から受け取った評定点を入力する。レビュー実行ボタン１３をクリックする。この時システムはシステム内部に格納されている図８に示す換算表１４と照会し、同一パターンがあるかどうかをチェックする。尚、換算表１４では、考査官毎・細別毎に定めらている加減点パターンと持ち点比率により、合計点数からそれぞれの考査官毎の点数を割り出せるようにしている。同一パターンがひとつの場合は、点数を表示２０する。同一パターンが複数ある場合は、パターン選択ボタン１５を表示します。パターン選択ボタン１５をクリックすると、図９のパターン選択ダイアログ画面１６を表示する。パターンをラジオボタン１７から選択し、ＯＫボタン１８をクリックすると点数を表示２０する。
【００４１】  図１０は、評価対象項目毎のチェックポイントコンサルティング機能フローチャートであり、コンサツタント用チェックポイント入力機能は、先ず、図１１のコンサル用メンテナンス画面２１を表示する。考査官リストボックス２２より、主任技術評価官、総括技術評価官、技術検査官の何れかを選択する。考査項目リストボックス２３より、考査項目を選択する。細別リストボックス２４より、細別を選択する。この３つの選択により、評価対象項目の一覧２５が表示される。評価対象項目ラジオボタン２６で、評価対象項目を選択する。チェックポイント２７が表示される。チェックポイント２７を入力し、更新ボタン２８をクリックする。
【００４２】  また、ユーザ用チェックポイント確認機能は、先ず、図１２の工事成績シミュレーション画面３１を表示する。考査官リストボックス３２より、主任技術評価官、総括技術評価官、技術検査官の何れかを選択する。考査項目リストボックス３３より、考査項目を選択する。細別リストボックス３４より、細別を選択する。この３つの選択により、評価対象項目の一覧３５が表示される。チェックポイントボタン３６をクリックすると、図１３のチェックポイント３７を表示される。
【００４３】  図１４は評価対象項目毎の実施事項蓄積フローチャートであり、先ず、図１６の工事成績シミュレーション画面４１を表示する。考査官リストボックス４２より、主任技術評価官、総括技術評価官、技術検査官の何れかを選択する。考査項目リストボックス４３より、考査項目を選択する。細別リストボックス４４より、細別を選択する。この３つの選択により、評価対象項目の一覧４５が表示される。評価対象項目ラジオボタン４６を選択し、作業記録タイトルボックス４７に、作業記録タイトルを入力し、作業内容ボックス４８に作業内容を入力する。入力が完了したら、保存ボタン４９をクリックし、保存を実行する。
【００４４】  図１５は過去の実施記録確認フローチャートであり、図１６の工事成績評定シミュレーション画面４１を表示する。考査官リストボックス４２より、主任技術評価官、総括技術評価官、技術検査官の何れかを選択する。考査項目リストボックス４３より、考査項目を選択する。細別リストボックス４４より、細別を選択する。この３つの選択により、評価対象項目の一覧４５が表示される。評価対象項目ラジオボタン４６を選択し、過去記録ボタン５１をクリックすると、図１７の過去の実施記録画面５２が表示される。作業記録ラジオボタン５３をクリックすると、作業内容５４が表示される。過去の実施記録画面では、作業記録タイトル、工事名、獲得評点、社内評価順位にて、並び替えが行える。
【００４５】  図１８は評価対象項目毎の実施事項の社内評価機能フローチャートであり、先ず図１９の過去の実施記録画面６１を表示する。作業記録ラジオボタン６２より作業記録タイトルを選択すると、作業記録内容６３が表示される。社内評価リストボックス６４より、「参考になった」もしくは「参考にならなかった」を選択する。評価ボタン６５をクリックすると、集計が行われ社内評価順位６６に反映され順位が表示される。
【００４６】  図２０は評価対象項目毎の関連文書リンク機能フローチャートであり、先ず、図２１の工事成績評定シミュレーション画面７１を表示する。考査官リストボックス７２より、主任技術評価官、総括技術評価官、技術検査官の何れかを選択する。考査項目リストボックス７３より、考査項目を選択する。細別リストボックス７４より、細別を選択する。この３つの選択により、評価対象項目の一覧７５が表示される。評価対象項目ラジオボタン７６を選択し、新規リンクの追加ボタン７７をクリックすると、図２２の外部リンク作成画面７８が表示される。リンクタイトル７９、リンク先ＵＲＬ８０を入力し、ＯＫボタン８１をクリックすると、図２１の工事成績シミュレーション画面７１を再表示し、リンクタイトル名８２が表示される。
【００４７】  図２３は、工事成績評定一覧管理機能フローチャートであり、先ず、図２４のログイン画面９１を表示し、ユーザＩＤ９２、パスワード９３を入力する。図２５に示すように、システム内で管理されている管理情報（工事単位のデータ）が表示される。表示された管理情報一覧画面９４では、各管理情報の最高点、予想点、現状点を確認する事ができる。
【発明の効果】
【００４８】  上記の如く本発明においては、請負業者（利用者）において工事成績評定をシミュレーションすることにより、工事成績評定を達成目標管理項目として利用することができ、より高い得点獲得に結び付くことが期待できて結果的に次の工事入札の際に有利に競争が行える効果が期待できる。また請負業の担当者にとって、実行予算管理だけでなく、その他の評価項目の管理も客観的に評価できるようになり、より納得性の高い人事考課を行うことが可能となる。さらに、自主的に評価項目の評価を行うことにより、発注者から自己評価と大きく異なる工事成績評定点が出されても、それに対し具体的な異議申し立てを行うことができる。
【００４９】  また、請負業者（利用者）において工事成績評定採点表をレビューすることにより、常に工事成績評定を達成目標管理項目として利用することができ、より高い得点獲得に結び付かせることが期待でき、結果的に次の工事入札の際に有利に競争が行える効果が期待できる。
【００５０】  また、各考査項目に対応してマネージメント必要情報であるチェックポイントを工事成績評定シミュレーション中に表示することにより、これらチェックポイントを工事成績評定を達成目標管理において参照することができ、これにより高い得点獲得に確実に結び付かせることが期待できる。
【００５１】  また、全現場の達成目標点を共有することにより、達成意欲を向上されることが期待される。また、管理部門・経営層・他の現場からの各現場の実施状況が見えることにより、全体的な考察を行うことのできる環境が提供でき、ＰＤＣＡ（Ｐｌａｎ  Ｄｏ  Ｃｈｅｃｋ  Ａｃｔ）のマネージメントサイクルを確実に得ることが期待される。経営層では、将来の点数が予測でき、入札準備等の対応に生かすことができる。
【００５２】  また、発注者の評価は費用をかければ上げられるものもあるが、社内では費用対効果を考慮する必要がある。良い点数を取ることと、原価を下げるという相反する目的を実現するために、発注者の評価ばかりでなく社内評価を得る意義があるが、このような社内評価を知ることができる。
【００５３】  また、各考査項目毎の実施事項と、それに関連する文書・図面・写真等のドキュメントも合わせて管理できるので、過去の工事技術の継承が図れるようになり、他社との差別化強化が期待できる。
【００５４】  さらに、工事成績評定自己考査に関する工事成績評定予測管理一覧をデータベースに管理して、常時利用者端末において各工事の予測した現状点及び達成目標点を確認することができる。
【図面の簡単な説明】
【００５５】
【図１】  システム構成図
【図２】  工事成績評定シミュレーション機能フローチャート
【図３】  各考査項目・各細別・各考査官を示す関係説明図
【図４】  工事成績評定シミュレーション画面
【図５】  工事成績評定点換算結果確認画面
【図６】  工事成績評定レビュー機能フローチャート
【図７】  工事成績評定レビュー画面
【図８】  工事成績評定点換算表
【図９】  パターン選択ダイアログ
【図１０】  チェックポイントコンサルティング機能フローチャート
【図１１】  コンサルタント用メンテナンス画面
【図１２】  工事成績評定シミュレーション画面（チェックポイント用）
【図１３】  チェックポイント表示画面（ユーザ用）
【図１４】  実施事項蓄積フローチャート
【図１５】  過去の実施記録確認フローチャート
【図１６】  工事成績評定シミュレーション画面（過去の実施事項確認用）
【図１７】  過去の実施記録表示画面
【図１８】  評価対象項目毎の実施事項の社内評価機能フローチャート
【図１９】  過去の実施記録表示画面（評価順位表示）
【図２０】  評価対象項目毎の関連文書リンク機能フローチャート
【図２１】  工事成績評定シミュレーション画面（関連文書リンク用）
【図２２】  外部リンク作成画面
【図２３】  工事成績評定予測一覧管理機能フローチャート
【図２４】  工事成績評定予測一覧ログイン画面
【図２５】  工事成績評定予測一覧画面
【符号の説明】Ａ      サーバ
Ｂ      コンサルタント端末
Ｃ      利用者端末」
Ｆ      演算装置
ＤＢ１  工事成績評定点データベース
ＤＢ２  チェックポイントデータベース
ＤＢ３  工事実施事項記録蓄積データベース
ＤＢ４  文書データベース
ＤＢ５  図面データベース，
ＤＢ６  写真データベース
０１    工事成績評定シミュレーション画面（シミュレーション用画面）
０２    考査官リストボックス（シミュレーション用画面）
０３    考査項目リストボックス（シミュレーション用画面）
０４    細別リストボックス（シミュレーション用画面）
０５    評価対象項目の一覧（シミュレーション用画面）
０６    履行状況リストボックス（シミュレーション用画面）
０７    履行中状況リストボックス（シミュレーション用画面）
０８    最大点・予想点・現状点
０９    結果確認ボタン
１０    採点表
１１    工事成績レビュー画面
１２    評定点入力ボックス
１３    レビュー実行ボタン
１４    換算表
１５    パターン選択ボタン
１６    パターン選択ダイアログ画面
１７    パターンラジオボタン
１８    ＯＫボタン
２０    点数表示
２１    コンサル用メンテナンス画面
２２    考査官リストボックス
２３    考査項目リストボックス
２４    細別リストボックス
２５    評価対象項目一覧
２６    評価対象項目ラジオボタン
２７    チェックポイント
２９    更新ボタン
３１    工事成績評定シミュレーション画面（チェックポイント用画面）
３２    考査官リストボックス（チェックポイント用画面）
３３    考査項目リストボックス（チェックポイント用画面）
３４    細別リストボックス（チェックポイント用画面）
３５    評価対象項目の一覧
３６    チェックポイントボタン
３７    チェックポイント
４１    工事成績シミュレーション両面（過去の実施事項確認用画面）
４２    考査官リストボックス（過去の実施事項確認用画面）
４３    考査項目リストボックス（過去の実施事項確認用画面）
４４    細別リストボックス（過去の実施事項確認用画面）
４５    評価対象項目の一覧（過去の実施事項確認用画面）
４６    評価対象項目ラジオボタン（過去の実施事項確認用画面）
４７    作業記録タイトルボックス
４８    作業内容ボックス
４９    保存ボタン
５１    過去記録ボタン
５２    過去の実施記録画面
５３    作業記録ラジオボタン
５４    作業内容
６１    過去の実施記録画面画面
６２    作業記録ラジオボタン
６３    作業記録内容
６４    社内評価リストボックス
６５    評価ボタン
６６    社内評価順位
７１    工事成績評定シミュレーション画面（関連文書リンク用画面）
７２    考査官リストボックス（関連文書リンク用画面）
７３    考査項目リストボックス（関連文書リンク用画面）
７４    細別リストボックス（関連文書リンク用画面）
７５    評価対象項目の一覧（関連文書リンク用画面）
７６    評価対象項目ラジオボタン（関連文書リンク用画面）
７７    新規リンクの追加ボタン
７８    外部リンク作成画面
７９    リンクタイトル
８０    リンク先ＵＲＬ
８１    ＯＫボタン
８２    リンクタイトル名
９１    ログイン画面
９２    ユーザＩＤ
９３    パスワード
９４    管理情報一覧画面
【図１】
2011134287.tif 000004
【図２】
2011134287.tif 000005
【図３】
2011134287.tif 000006
【図４】
2011134287.tif 000007
【図５】
2011134287.tif 000008
【図６】
2011134287.tif 000009
【図７】
2011134287.tif 000010
【図８】
2011134287.tif 000011
【図９】
2011134287.tif 000012
【図１０】
2011134287.tif 000013
【図１１】
2011134287.tif 000014
【図１２】
2011134287.tif 000015
【図１３】
2011134287.tif 000016
【図１４】
2011134287.tif 000017
【図１５】
2011134287.tif 000018
【図１６】
2011134287.tif 000019
【図１７】
2011134287.tif 000020
【図１８】
2011134287.tif 000021
【図１９】
2011134287.tif 000022
【図２０】
2011134287.tif 000023
【図２１】
2011134287.tif 000024
【図２２】
2011134287.tif 000025
【図２３】
2011134287.tif 000026
【図２４】
2011134287.tif 000027
【図２５】
2011134287.tif 000028